(57)【要約】【課題】簡易にコピープロテクションが実現するデータフォーマットを採用した情報記録再生媒体を提供する。【解決手段】デジタルコンテンツは、デジタルコンテンツがフレーム単位に分割され、各フレーム間には、シンクパターン情報２３、又は、暗号キー情報２４が挿入されて媒体上に記録される。分割されたデジタルコンテンツの一部は、暗号キー情報２６に基づいて復元できるように暗号化され、暗号化情報データ２７として記録される。この媒体から、暗号キー情報２６と、暗号化情報データ２７とが共に正常に読み出されると、デジタルコンテンツが再生される。【選択図】　　図１
2004095114.tif 000002
【特許請求の範囲】
【請求項１】
媒体に記録されるデータ信号が、所定の単位データ毎にフレームに分割され、該フレーム間にタイミング同期信号が挿入して記録される情報再生用媒体において、
前記タイミング同期信号が記録される領域の一部又は全てに、暗号キー情報が記録されており、
前記データ信号の少なくとも一部が、前記暗号キー情報によって復元可能となるように記録されていることを特徴とする情報再生用媒体。
【請求項２】
前記少なくとも一部のデータ信号は、前記暗号キー情報によって復元可能となるように暗号化された暗号化データである、請求項１に記載の情報再生用媒体。
【請求項３】
前記暗号キー情報は、前記データ信号の一部を切り取ったデータで構成される、請求項１に記載の情報再生用媒体。
【請求項４】
媒体に記録されるデータ信号が、所定の単位データ毎にフレームに分割され、該フレーム間にタイミング同期信号が挿入される記録フォーマットを採用する情報記録用媒体において、
前記タイミング同期信号が記録されるべき同期信号記録領域内にプリピットが形成されており、該プリピットは、前記同期信号記録領域内に記録される信号の再生を阻害する機能をすることを特徴とする情報記録用媒体。
【請求項５】
前記プリピットがアドレス情報を含む、請求項４に記載の情報記録用媒体。
【請求項６】
前記プリピットの深さが、トラッキング制御用の案内溝の深さと実質的に同じである、請求項４又は５に記載の情報記録用媒体。
【請求項７】
請求項１〜３の何れかに記載の情報再生用媒体からデータ信号を再生する情報再生装置であって、前記暗号キー情報に基づいて前記データ信号を解読するアルゴリズムを記憶することを特徴とする情報再生装置。
【請求項８】
請求項４〜６の何れかに記載の情報記録用媒体にデータ信号を記録する情報記録装置であって、前記データ信号を記録する際に、前記プリピットが予め形成された同期信号記録領域の少なくとも一部に、暗号キー情報を記録することを特徴とする情報記録装置。
【請求項９】
媒体に記録すべきデータ信号を所定の単位フレーム毎に分割して記録する情報記録装置において、
前記単位フレーム毎のデータ信号の少なくとも一部を暗号化して暗号化データとする暗号化手段と、
前記フレーム間の少なくとも一部に、タイミング同期信号、及び、前記暗号化データを復元する暗号キー情報の少なくとも一方を挿入しつつ、前記データ信号を記録する記録手段とを備えることを特徴とする情報記録装置。
【請求項１０】
情報記録・再生媒体に記録されるデータ信号のための記録データ構造であって、
所定の単位データ毎にフレームに分割されたデータ信号と、
前記フレーム間に挿入されるタイミング同期信号と、
前記タイミング同期信号の一部に代えて、又は、前記タイミング同期信号の少なくとも一部に付加して前記フレーム間に挿入される暗号キー情報とを含み、
前記データ信号の少なくとも一部が、前記暗号キー情報によって復元可能となるように変換されたデータとして構成されることを特徴とする記録データ構造。
【請求項１１】
前記データ信号は、暗号キー情報によって復元可能となるように暗号化された暗号化データである、請求項１０に記載のデータ構造。
【請求項１２】
前記暗号キー情報は、前記データ信号の一部を切り取ったデータで構成される、請求項１０に記載のデータ構造。
【請求項１３】
情報記録媒体にデータ信号を記録する情報記録方法において、
前記データ信号を所定の単位フレーム毎に分割し、
前記単位フレーム毎のデータ信号の少なくとも一部を暗号化して暗号化データとし、
前記フレーム間の少なくとも一部に、タイミング同期信号、及び、前記暗号化データを復元する暗号キー情報の少なくとも一方を挿入しつつ、前記データ信号を記録することを特徴とする情報記録方法。
【請求項１４】
請求項１３に記載の情報記録方法によって記録されたデータ信号を再生する情報再生方法であって、
情報媒体から前記暗号化データ及び前記暗号キー情報を読み出し、
所定のアルゴリズムに基づいて、前記暗号化データを前記暗号キー情報に基づいて復元しつつ、前記データ信号を再生することを特徴とする情報再生方法。
【請求項１５】
情報記録媒体にデータ信号を記録する情報記録方法において、
前記データ信号を所定の単位フレーム毎に分割し、
前記フレーム間の少なくとも一部に、タイミング同期信号、及び、制作者のＩＤ情報の少なくとも一方を挿入しつつ、前記データ信号を記録することを特徴とする情報記録方法。
【請求項１６】
請求項１５に記載の情報記録方法によって記録されたデータ信号を再生する情報再生方法であって、
情報媒体から前記データ信号及びＩＤ信号を読み出し、
前記ＩＤ信号又は該ＩＤ信号に基づいて得られるＩＤ情報が、記憶されている正規のＩＤ情報と整合すると前記データ信号を再生することを特徴とする情報再生方法。
【発明の詳細な説明】
【０００１】
【発明の属する技術分野】
本発明は情報記録再生用媒体、情報記録再生装置、情報記録再生方法、及び、情報記録再生用媒体のデータ構造に関し、更に詳しくは、コンテンツのコピーを制限する情報記録再生用媒体、情報記録再生装置、情報記録再生方法、及び、情報記録再生用媒体のデータ構造に関する。
【０００２】
【従来の技術】
ＤＶＤに代表される大容量光ディスクには、再生専用光ディスク（ＤＶＤ−ＲＯＭ）や、１回のみの記録が可能な追記用光ディスク（ＤＶＤ−Ｒ）、書き換え型光ディスク（ＤＶＤ−ＲＷ）があり、これらの媒体には、映像や音楽、或いは、データなどのデジタルコンテンツが記憶される。これらの媒体に記憶されるデジタルコンテンツには、データフォーマットの互換性があるため、例えばＤＶＤ−ＲＯＭに記録されたコンテンツは、原理上、そのままＤＶＤ−Ｒに丸ごとコピーすることが可能である。
【０００３】
ところで、ＤＶＤ−ＲＯＭに記録されたコンテンツはデジタルコンテンツであるため、コピーを繰り返しても劣化が生じない。このため、コンテンツが不正にコピーされると、コンテンツ製作者の著作権が著しく侵害される。不正コピーを防止し、コンテンツ製作者の著作権を保護するために、ＤＶＤ−ＲやＤＶＤ−ＲＷなどの記録可能媒体には、ＤＶＤ−ＲＯＭのコンテンツデータを丸ごとコピーした場合であっても、コンテンツの再生が行なえないようにする仕組みが採用される。
【０００４】
一般に、ＤＶＤでは、ディスクの記録又は再生に不可欠な情報を記録する制御データ領域（ｃｏｎｔｒｏｌ　ｄａｔａ　ｚｏｎｅ）が設けられており、コンテンツの内容と、制御データ領域に記録された制御情報が整合しているときに、コンテンツの再生が許可される。従来の追記型のＤＶＤ−Ｒでは、不正コピー対策（コピープロテクション）として、媒体の製造後、出荷前に、制御データ領域に所定の情報をあらかじめ固定的に記録する。このため、例えばＤＶＤ−ＲＯＭのコンテンツデータをＤＶＤ−Ｒに丸ごとコピーした場合であっても、コンテンツデータの内容と、制御情報領域に記録された情報とが一致せず、コンテンツデータの再生が行われない。
【０００５】
書き換え型のＤＶＤ―ＲＷでは、上記とは異なり、制御データ領域にあらかじめエンボスを形成しておく。この場合、制御データ領域に正常な制御情報を書き込んだ場合であっても、その情報がエンボスと干渉を起こし、書き込んだ制御情報の正常な読み取りが不可能となる。このため、ＤＶＤ−ＲＯＭのコンテンツデータを丸ごとＤＶＤ−ＲＷにコピーした場合であっても、コンテンツデータの再生が不可能になる。
【０００６】
【発明が解決しようとする課題】
ところで、ＤＶＤ−ＲやＤＶＤ−ＲＷでは、光ヘッドのトラッキング制御用の案内溝が形成されている。ＤＶＤ−ＲＷでは、制御データ領域に形成するエンボスと、トラッキング制御用の案内溝との間を、両者の溝（凹部）の深さで区別している。ＤＶＤ−ＲＷでは、このように異なる深さでエンボスと案内溝とを形成するために、ＤＶＤ−ＲＷの作製用にスタンパ原盤を作製する際には、エンボスを形成する部分では強い光を露光して溝を深く形成し、案内溝を形成する部分では弱い光を露光して溝を浅く形成する必要がある。このため、ディスクの作製プロセスが複雑になるという問題があった。また、上記したように、ＤＶＤ−Ｒでは、媒体の製造後、出荷前に、ディスクの１枚１枚に制御データ領域に情報を記録しなければならないため、生産性が悪いという問題があった。
【０００７】
本発明は、上記問題点を解消し、複製されたコンテンツデータの再生を、簡易に防止することができる情報記録再生用媒体、情報記録再生装置、情報記録再生方法、及び、情報記録再生用媒体のデータ構造を提供することを目的とする。
【０００８】
【課題を解決するための手段】
上記目的を達成するために、本発明の情報再生用媒体は、媒体に記録されるデータ信号が、所定の単位データ毎にフレームに分割され、該フレーム間にタイミング同期信号が挿入して記録される情報再生用媒体において、前記タイミング同期信号が記録される領域の一部又は全てに、暗号キー情報が記録されており、前記データ信号の少なくとも一部が、前記暗号キー情報によって復元可能となるように記録されていることを特徴とする。
【０００９】
本発明の情報再生用媒体では、デジタルコンテンツなどのデータ信号を、複数のフレームに分割した単位で記録する。従来のデータ構造（フォーマット）では、複数のフレーム間にタイミング同期用のシンクパターンが形成されて媒体上に記録されるが、本発明では、シンクパターンが形成されるべき媒体上の領域の一部、又は、全てに暗号キー情報を記録する。フレームに分割されたデジタルコンテンツの少なくとも一部は、暗号キー情報によって復元が可能なように変換されて、媒体上に記録される。媒体上には、デジタルコンテンツが、フレーム間にシンクパターン、又は、暗号キー情報が挿入されるデータフォーマットで記録される。このデータフォーマットを採用することで、媒体上に記録されたデジタルコンテンツは、暗号キー情報が正しく読み出されないと元のデータに復元することができない。このため、情報再生用媒体からデジタルコンテンツを複製しても、複製された媒体から暗号キー情報を正しく読み出せないようにすることで、コンテンツの正常な再生が不可能となり、コンテンツが不正に複製されたときでも、著作権者の著作権を守ることができる。
【００１０】
本発明の情報データ構造は、情報記録・再生媒体に記録されるデータ信号のための記録データ構造であって、所定の単位データ毎にフレームに分割されたデータ信号と、前記フレーム間に挿入されるタイミング同期信号と、前記タイミング同期信号の一部に代えて、又は、前記タイミング同期信号の少なくとも一部に付加して前記フレーム間に挿入される暗号キー情報とを含み、前記データ信号の少なくとも一部が、前記暗号キー情報によって復元可能となるように変換されたデータとして構成されることを特徴とする。
【００１１】
本発明のデータ構造では、フレーム単位に分割されたデジタルコンテンツと、フレーム間に挿入されたタイミング同期用のシンクパターン、又は、暗号キー情報とで構成され、分割されたデジタルコンテンツの少なくとも一部は、暗号キー情報によって元のデジタルコンテンツに復元可能なように変換されたフォーマットとして構成される。このフォーマットを使用して記録媒体にコンテンツを記録した場合であっても、その媒体から暗号キー情報が正しく読み出せないようにすることで、コンテンツの正常な再生が不可能となり、コンテンツが不正に複製されたときでも、著作権者の著作権を守ることができる。
【００１２】
本発明の情報再生用媒体及びデータ構造では、前記データ信号を、前記暗号キー情報によって復元可能となるように暗号化された暗号化データとして構成してもよく、或いは、暗号キー情報を、前記データ信号の一部を切り取ったデータに基づいて構成してもよい。暗号キー情報と、フレームに分割されるデータ信号との組み合わせは、種々に考えられる。何れの組み合わせであっても、暗号キー情報と、コンテンツデータに相当するデータ部分とが一対となって読み出されないと、コンテンツの正常な再生が行われないようにすることで、コピープロテクションが実現する。
【００１３】
本発明の情報記録用媒体は、媒体に記録されるデータ信号が、所定の単位データ毎にフレームに分割され、該フレーム間にタイミング同期信号が挿入される記録フォーマットを採用する情報記録用媒体において、前記同期信号が記録されるべき同期信号記録領域内にプリピットが形成されており、該プリピットは、前記同期信号記録領域内に記録された信号の再生を阻害する機能をすることを特徴とする。
【００１４】
本発明の情報記録用媒体では、タイミング同期信号が記録される同期信号記録領域内に、プリピット（エンボス）が形成される。このプリピットは、プリピットが形成された領域内に記録される信号を再生する際に、信号パターンと干渉を起こして、正常な読み出しを妨げるように形成される。このため、同期信号記録領域内に記録される信号を正常に読み出すことによってコンテンツの再生が許可されるデータフォーマットのデジタルコンテンツについては、正常な再生が不可能となり、コンテンツの不正な複製を防止して、著作権者の著作権を守ることができる。なお、プリピットは、形成される領域に記録される信号の読み出しの正常な読み出しを妨げ、長いマークやスペースで構成されるシンクパターンの読み出しを不可能としないように形成するとよい。
【００１５】
本発明の情報記録用媒体では、前記プリピットは、アドレス情報を含んでいてもよい。プリピットは、プリピットが形成された領域に記録される信号の読み出しを阻害することが目的であるため、プリピット自身が、ディスク上のアドレス信号等の情報を有していてもよく、或いは、プリピット自身はなんら情報を有していなくてもよい。
【００１６】
本発明の情報記録用媒体では、前記プリピットの深さが、トラッキング制御用の案内溝の深さと実質的に同じであることが好ましい。案内溝と、プリピットとは、互いに干渉しないため、プリピットの凹部と案内溝とは、同じ深さで形成することができる。この場合、案内溝と、プリピットとを一括で形成することができ、情報記録用媒体の作製に要するプロセスが簡易となる。
【００１７】
本発明の情報再生装置は、上記本発明の情報再生用媒体からデータ信号を再生する情報再生装置であって、前記暗号キー情報に基づいて前記データ信号を解読するアルゴリズムを記憶することを特徴とする。
【００１８】
本発明の情報再生装置では、暗号キー情報に基づいて復元されるように記録されたデータ信号を、元のデータ信号に復元するためのアルゴリズムを記憶している。上記本発明の情報再生用媒体からデジタルコンテンツを再生する際には、情報再生用媒体から暗号キー情報を読み出し、読み出した暗号キー情報を使用して所定のアルゴリズムでデータ信号に復元し、コンテンツの再生を行なう。上記本発明の情報記録用媒体に、上記本発明のデータ構造でデジタルコンテンツが記録されているときには、情報再生装置は、暗号キー情報を正しく読み出すことができず、デジタルコンテンツの再生が行なわれない。このように、情報再生装置は、不正に複製されたデジタルコンテンツの再生を行なわず、デジタルコンテンツの著作権者の著作権が保護される。
【００１９】
本発明の情報記録装置は、上記本発明の情報記録用媒体にデータ信号を記録する情報記録装置であって、前記データ信号を記録する際に、前記プリピットが予め形成された同期信号記録領域の少なくとも一部に、前記暗号キー情報を記録することを特徴とする。
【００２０】
本発明の情報記録装置では、上記本発明の情報記録用媒体にデジタルコンテンツを記録する際には、プリピットが形成された領域の少なくとも一部に、暗号キー情報を記録する。言い換えると、暗号キー情報の少なくとも一部は、プリピットが形成された領域に記録される。プリピットは、プリピットが形成された領域に記録された信号と干渉を起こし、信号の正常な読み出しを阻害するため、情報記録装置で記録された情報記録媒体を、情報再生装置で再生しても、デジタルコンテンツは正常に再生されず、デジタルコンテンツの著作権者の著作権が保護される。
【００２１】
また、本発明の別の視点の情報記録装置は、媒体に記録すべきデータ信号を所定の単位フレーム毎に分割して記録する情報記録装置において、前記単位フレーム毎のデータ信号の少なくとも一部を暗号化して暗号化データとする暗号化手段と、前記フレーム間の少なくとも一部に、タイミング同期信号、及び、前記暗号化データを復元する暗号キー情報の少なくとも一方を挿入しつつ、前記データ信号を記録する記録手段とを備えることを特徴とする。
【００２２】
本発明の別の視点の情報記録装置では、暗号化手段は、フレーム単位に分割されたデジタルコンテンツの少なくとも一部を暗号化する。記録手段は、フレーム間に、タイミング同期用のシンクパターン、及び、暗号キー情報の少なくとも一方を挿入しながらデジタルコンテンツを記録する。この情報記録装置を用いると、情報再生用媒体を作製するためのスタンパ原盤を作製することができ、このスタンパ原盤を使用することで、安価に、コピープロテクションが実現するデータフォーマットでコンテンツが記録された情報再生用媒体を得ることができる。なお、本発明で用いる暗号化は、データの秘匿化を目的としたものでなくともよく、暗号化には、暗号キー情報を用いないとデータ信号を復元できないように変換する態様も含まれる。
【００２３】
本発明の情報記録方法は、情報記録媒体にデータ信号を記録する情報記録方法において、前記データ信号を所定の単位フレーム毎に分割し、前記単位フレーム毎のデータ信号の少なくとも一部を暗号化して暗号化データとし、前記フレーム間の少なくとも一部に、タイミング同期信号、及び、前記暗号化データを復元する暗号キー情報の少なくとも一方を挿入しつつ、前記データ信号を記録することを特徴とする。
【００２４】
本発明の情報記録方法では、記録すべきデジタルコンテンツを所定のフレーム単位に分割し、その分割されたデジタルコンテンツの少なくとも一部を所定のアルゴリズムで変換し、フレーム間に、タイミング同期用のシンクパターン、又は、変換されたデジタルコンテンツを元のデジタルコンテンツに復元するための暗号キー情報を挿入して記録を行なう。この方法を採用して記録されたデジタルコンテンツは、暗号キー情報が正常に読み出されないと再生することができないため、デジタルコンテンツの不正コピーを防止して、著作権者の著作権を保護することが可能となる。
【００２５】
本発明の情報再生方法は、上記本発明の情報記録方法によって記録されたデータ信号を再生する情報再生方法において、前記暗号化データ及び前記暗号キー情報を読み出し、所定のアルゴリズムに基づいて、前記暗号化データを前記暗号キー情報に基づいて復元しつつ、前記データ信号を再生することを特徴とする。
【００２６】
本発明の情報再生方法では、上記本発明の記録方法で記録されたデジタルコンテンツを再生する際に、所定のアルゴリズムで変換したデジタルコンテンツと、暗号キー情報を読み込んで、所定のアルゴリズムとは逆のアルゴリズムに従って、変換されたデジタルコンテンツを元のデジタルコンテンツに復元する。暗号キー情報が正常に読み出されないときには、デジタルコンテンツの再生が行なわれないため、デジタルコンテンツの不正コピーを防止して、著作権者の著作権を保護することが可能となる。
【００２７】
本発明の別の視点の情報記録方法は、情報記録媒体にデータ信号を記録する情報記録方法において、前記データ信号を所定の単位フレーム毎に分割し、前記フレーム間の少なくとも一部に、タイミング同期信号、及び、制作者のＩＤ情報の少なくとも一方を挿入しつつ、前記データ信号を記録することを特徴とする。
【００２８】
また本発明の別の視点の情報再生方法は、上記本発明の別の視点の情報記録方法によって記録されたデータ信号を再生する情報再生方法であって、情報媒体から前記データ信号及びＩＤ信号を読み出し、前記ＩＤ信号又は該ＩＤ信号に基づいて得られるＩＤ情報が、記憶されている正規のＩＤ情報と整合すると前記データ信号を再生することを特徴とする。
【００２９】
情報記録再生媒体から、ＩＤ信号が正規に読み出された場合に、データ信号の再生を可能にする構成によっても、デジタルコンテンツの不正コピーを防止して、著作権者の著作権を保護することが可能となる。
【００３０】
【発明の実施の形態】
以下、図面を参照し、本発明の実施形態例に基づいて、本発明を更に詳細に説明する。図１は、本発明の第１実施形態例の光ディスクから読み出される１物理セクタ分のデータ構造を示している。光ディスク（情報再生用媒体）の１物理セクタは、複数の（図１の例では２６の）シンクフレーム（ｓｙｎｃ　ｆｒａｍｅ）２２、２５から成る。複数のシンクフレームは、２種類のシンクフレームを含み、第１の種類のシンクフレーム２２は、シンクパターン情報２３及び情報データ２４で構成され、第２の種類のシンクフレーム２４は、暗号キー情報２５及び暗号化情報データ２６で構成される。同図の例では、２６個のシンクフレームのうち、奇数番号のシンクフレームが第１の種類のシンクフレーム２２として構成されており、偶数番号のシンクフレームが第２の種類のシンクフレーム２４として構成されている。
【００３１】
ここで、図２は、従来の光ディスクから読み出されるコンテンツデータの１物理セクタのデータ構造を比較例として示している。従来のデータ構造では、シンクパターン４３と情報データ４４とが１シンクフレーム４２を構成し、複数のシンクフレーム４２が１物理セクタ４１を構成している。１シンクフレーム４２は、コンテンツデータを所定データ長の情報データに分割し、その情報データにタイミング同期用のシンクパターン情報４３を付加することで得られる。図２に示すように、従来のデータフォーマットにおける１物理セクタ４１は、シンクパターン情報４３を含むシンクフレーム４２のみから構成されており、図１に示すような暗号キー情報２６を有するシンクフレームは含まれていない。
【００３２】
図１に示すデータフォーマットのシンクパターン情報を含むシンクフレーム、及び、暗号キー情報を含むシンクフレームは、次のようにして得る。まず、コンテンツデータを所定データ長の情報データに分割する。次いで、コンテンツ製作者（プロバイダ）は暗号キー情報を任意に設定し、設定した暗号キー情報によって復号化（復元）できるように、情報データを暗号化して暗号化情報データを生成する。そして、暗号化情報データに、その暗号化情報データを復号化するための暗号キー情報を付加し、暗号キー情報を含むシンクフレームを得る。シンクパターン情報を含むシンクフレームは、分割された情報データに、シンクパターン情報を付加することで得られる。
【００３３】
図３は、上記第１実施形態例のデータフォーマットでコンテンツデータを記録する際に使用されるスタンパ原盤を生成する情報記録装置の構成を示している。情報記録装置３０は、対物レンズ３１、ＬＤ３２、ＬＤ駆動回路３３、暗号生成機構３４、及び、スピンドル制御回路３５で構成される。対物レンズ３１は、ＬＤ駆動回路３３に制御されるＬＤ３２が出力するレーザ光を、スタンパ原盤３６に照射する。スピンドル制御回路３５は、スタンパ原盤３６の回転を制御する。
【００３４】
スタンパ原盤３６には、再生専用型光ディスク上に、図１に示すデータフォーマットでコンテンツデータが記録されるように、コンテンツデータが形成される。暗号生成機構３４は、設定された暗号キー情報を基に暗号化情報データを生成し、その暗号化情報データ及び暗号キー情報をスタンパ原盤３６に書き込むためにＬＤ駆動回路３３を制御する。このようにして得られたスタンパ原盤３６を使用し、射出成形などのプロセスを経て、所望のコンテンツが図１に示すデータフォーマットで記録された再生専用型光ディスクが得られる。
【００３５】
図４は、上記第１実施形態例の光ディスク上に記憶されるデータを読み取る光ディスク装置の構成を示している。光ディスク装置１０は、対物レンズ１１、レーザダイオード（ＬＤ）１２、ＬＤ駆動回路１３、光検出器１４、復号化回路１５、及び、スピンドル駆動回路１６で構成される。光ディスク装置１０は、光ディスク２０から１物理フレームを読み取ると、その１物理フレーム内に含まれる暗号キー情報を含むシンクフレームから暗号キー情報を読み取り、その暗号キー情報を使用して暗号化情報データを復号化し、コンテンツを再生する。光ディスク装置１０がデータを読み取る光ディスク２０には、再生専用型光ディスク、追記型光ディスク、又は、書き換え型光ディスクを使用することができる。
【００３６】
ＬＤ駆動回路１３は、ＬＤ１２の出力を制御する。対物レンズ１１は、ＬＤ１２から出力されるレーザ光を、光ディスク２０の記録面に照射する。スピンドル駆動回路１６は、光ディスク２０を回転させる。対物レンズ１１は、自身が照射したレーザ光の反射光を入射し、入射光を光検出器１４に入力する。光検出器１４は、光ディスク２０からの反射光に基づいて、光ディスク２０に記録されたデータを検出する。復号化手段１５は、光検出器１４が検出したデータから、暗号キー情報を抽出して暗号化情報データを復号化する。光ディスク２０として、上記スタンパ原盤３６を用いて作製した再生専用型光ディスクを、光ディスク装置１０で再生した場合には、正しく暗号キー情報が読み出せ、コンテンツの再生が行われる。
【００３７】
図５は、光ディスク２０として使用される追記型光ディスク又は書き換え型光ディスクのトラックの一部を示している。本実施形態例の追記型及び書き換え型（以下、両者の型を記録型と呼ぶ）の光ディスク２０には、コピープロテクションとして、図５に示すように、図１に示すシンクフレームのシンクパターン情報２３又は暗号キー情報２６が記録されるべきトラック内の領域に、アドレス情報等のエンボス（プリピット）２８が、その凹部が案内溝２９と同様な深さで形成される。このため、エンボス２８と案内溝２９とは、一括して、同じ露光時間でを形成することができる。
【００３８】
本実施形態例の記録型光ディスクに、情報記録装置を使用して、図１に示すデータフォーマットで記憶された再生専用型光ディスクから、コンテンツデータを丸ごとコピーした場合には、シンクフレーム２５に含まれる暗号キー情報２６が、図５に示すエンボス２８が形成された領域に書き込まれる。この記録型光ディスクを光ディスク装置１０で読み出すと、エンボス２８と暗号キー情報２６とが干渉を起こし、暗号キー情報２６が正確に読み出されず、暗号化情報データ２７を正常に復号化することができない。このため、再生専用型光ディスクからコンテンツデータをコピーした記録型光ディスクでは、コンテンツデータを正常に再生することができない。
【００３９】
上記に代えて、図５に示すエンボス２８が形成された記録型光ディスクに、図２に示すような従来のフォーマットでコンテンツを書き込んだ場合には、シンクパターン情報４３がエンボス２８が形成された領域に書き込まれることになる。この場合、シンクパターン情報４３とエンボス２８とが干渉を起こすが、シンクパターン情報４３は、長いマークや長いスペースで構成されており、エンボス２８との干渉が少ないため、読み出しが不可能になるわけではない。このように、エンボス２８は、従来のフォーマットで書き込んだコンテンツデータに対してはコピープロテクションとして機能せず、正常なコンテンツの再生が可能となる。
【００４０】
本実施形態例では、上記のように、１物理セクタ２１が、シンクパターン情報２３を含むシンクフレーム２２と、暗号キー情報２６を含むシンクフレーム２５とで構成されるデータフォーマットを採用して、再生専用型光ディスクにコンテンツデータを記録する。このデータフォーマットで記録された再生専用型光ディスクには、コンテンツデータが、暗号キー情報が読み出されないと正常に再生ができないように、その一部が暗号化されて記録される。このため、情報データ部分（情報データ、又は、暗号化情報データ）を読み出すことができでも、そのデータのみではコンテンツは再生されない。
【００４１】
また、記録型光ディスクの作製に際しては、シンクパターン情報２３又は暗号キー情報２６が記録されるべき領域に、エンボス２８を形成する。このような記録型光ディスクに、本実施形態例で採用するデータフォーマットで記録されたコンテンツをコピーすると、暗号キー情報２６がエンボス２８と干渉するので、光ディスク装置１０は、暗号キー情報２６を良好に読み出すことができず、コンテンツの再生が不可能になる。このため、再生専用型光ディスクから記録型光ディスクへのコンテンツの不正コピーが、実質上不可能となり、コピープロテクションが実現する。また、シンクパターン情報は、通常長いスペースや長いマークで構成されるため、光ディスク装置１０は、記録型光ディスクに従来と同様なフォーマット（図２）で記録されたコンテンツの再生については、従来と同様に行なうことができる。
【００４２】
上記のように、本実施形態例のデータフォーマットを使用して再生専用型光ディスクにコンテンツを記録すると、著作権の存在するコンテンツを、記録型光ディスクへ不正コピーすることができなくなるため、コンテンツ製作者は、不正コピーされる心配をすることなく、一般消費者等へ向けて、安心してコンテンツを提供することができる。これにより、コンテンツの供給が活発となって、光ディスク産業の発展に大きく寄与することができる。
【００４３】
コピープロテクションとして、従来の追記型光ディスク（ＤＶＤ−Ｒ）では、媒体の製造後、出荷前に制御データ領域にあらかじめ情報を１枚１枚書き込む必要があったが、本実施形態例では、製造工程において、一括でエンボス２８を形成すればよいため、媒体の生産性が向上する。また、従来の書き換え型光ディスク（ＤＶＤ−ＲＷ）では、制御データ領域に、案内溝との区別がつくように深さを変えてエンボスを形成していたが、本実施形態例では、トラック内に形成するエンボス２８の凹部は、案内溝２９と同じ深さで形成することができるため、一回の露光でスタンパ原盤を生成することができ、媒体の製造工程が簡素になる。本実施形態例では、このような記録型光ディスクを用いるため、従来に比してコストが増大せず、確実かつ簡易に、コピープロテクションが実現する。
【００４４】
図６は、本発明の第２実施形態例の光ディスクに記録されるデータ構造の暗号キー情報が含まれるシンクフレームの構成を示している。第１実施形態例では、情報データを暗号化し、復号化に使用する暗号キー情報を図５に示すエンボス２８が形成される領域に書き込むことでコピープロテクションが実現した。これ以外にも、コピープロテクションは、図５に示すエンボス２８が形成された領域に書き込まれた情報と、情報データとが一対となって読み出されないとコンテンツの再生が行なえないようにすることで実現可能となる。そこで、本実施形態例では、情報データを暗号化するのに代えて、暗号キー情報を情報データ中の所定位置のデータで構成し、その暗号キー情報が正常に読み出されないとコンテンツの再生が行なえないようにする。
【００４５】
図６に示すように、分割されたコンテンツデータ５２は、所定位置のデータ５３がコンテンツデータ５２から切り取られ、所定の変換ルールに従って、切り取られたデータがダミーのデータ列「００００」に置き換えられた疑似情報データ５４に変換される。切り取られたデータ５３は、暗号キー情報５３Ａとして、疑似情報データ５４に付加される。つまり、元の情報データからその一部が切り取られた疑似データ情報５４と、切り取られたデータから構成される暗号キー情報５５とが、１つのシンクフレームを構成する。
【００４６】
疑似情報データ５４では、コンテンツデータを秘匿化する暗号化は採用されていないが、一部のデータが切り取られているために、対応する暗号キー情報と一対となって読み出されないとコンテンツが再生されない。暗号キー情報は、疑似情報データを復元する鍵として使用されるため、これを暗号を解くための鍵と同様に考えることができる。本実施形態例では、図１に示すシンクフレーム２５が、シンクフレームで構成されるデータフォーマットが使用される。本実施形態例の再生専用型光ディスクは、このデータフォーマットを使用してコンテンツデータを記録する。
【００４７】
図７は、上記第２実施形態例の光ディスクに記録されたデータを読み取る光ディスク装置の構成を示している。本実施形態例は、図４に示す復号化手段１５が解読手段１７に置き換わる点で、第１実施形態例の光ディスク装置と相違する。解読手段１７は、変換ルールに従ってデータ列の一部がダミーのデータ列に置き換えられた疑似情報データを元の情報データに復元するための復元ルール（アルゴリズム）を記憶する。或いは、復元ルールは、光ディスク２０の所定の領域に格納されていてもよい。解読手段１７は、切り取られたデータで構成される暗号キー情報を、復元ルールに従って疑似情報データ中に埋め込み、元の情報データを生成する。
【００４８】
光ディスク装置１０で、本実施形態例で使用するデータフォーマットでコンテンツを記録した再生専用型光ディスクを再生すると、解読手段１７は、疑似情報データを情報データに復元し、コンテンツの再生が行われる。しかし、図５に示すのと同様なエンボスが所定領域に形成された記録型光ディスクに、上記再生専用型光ディスクからコンテンツデータを丸ごとコピーし、その記録型光ディスクを光ディスク装置１０で再生すると、第１実施形態例と同様に、暗号キー情報が読み出すことができない。このため、解読手段１７は疑似情報データを復元できず、コンテンツの再生が行なえない。記録型光ディスクに、図２に示す従来のデータフォーマットでコンテンツを記録した場合には、第１実施形態例と同様に、コンテンツの再生が正常に行なえる。
【００４９】
本実施形態例では、上記のように、暗号キー情報は、情報データの一部で構成される。情報データは、切り取られた一部を、ダミーのデータ列で置き換えて、疑似情報データに変換される。再生専用型光ディスクには、暗号キー情報と、疑似情報データとで構成されるシンクフレームが含まれるデータフォーマットで、コンテンツデータが記録される。このように再生専用型光ディスクに記録したコンテンツを、所定の位置にエンボスが形成された記録型光ディスクにコピーした場合には、暗号キー情報の読み出しが不可能となって、コンテンツの正常な再生が不可能になる。このため、第１実施形態例と同様に、確実かつ簡易に、コピープロテクションが実現する。
【００５０】
本発明者らは、本実施形態例のデータフォーマットでコンテンツを記録する再生専用型光ディスクと、図７に示す構成を有する本実施形態例の光ディスク装置１０を試作した。この光ディスク装置で、試作した再生専用型光ディスクを再生し、コンテンツが良好に再生できることを確認した。更に、図５に示すようなエンボス２８を有する記録型光ディスクを試作し、この記録型光ディスクに試作した再生専用型光ディスクに記録されたコンテンツをコピーした。コピーした記録型光ディスクを、試作した再生専用型光ディスクと同じ光ディスク装置で再生したころ、コンテンツを良好に再生することができなかった。この結果、本実施形態例の再生専用型光ディスクのデータフォーマット、再生専用型光ディスク、記録型光ディスク、光ディスク装置を使用することで、容易かつ確実に、有効なコピープロテクションを実現できることが確かめられた。
【００５１】
図８は、本発明の第３実施形態例の光ディスクに記録されるデータ構造の、コンテンツプロバイダＩＤ情報が含まれるシンクフレームの構成を示している。本実施形態例では、図２に示すシンクパターン情報４３が、図６に示すコンテンツプロバイダＩＤ情報６３に置き換わるシンクフレーム６１を有する点で、第１及び第２の実施形態例と相違する。コンテンツプロバイダＩＤ情報６３は、例えば、規格会議等で登録されたＩＤキー、或いは、企画会議等から割り振られたＩＤキーに基づいて生成される。本実施形態例では、例えば、図１に示すシンクフレーム２５が、図８に示すシンクフレーム６１で構成されるデータフォーマットを採用する。本実施形態例の再生専用型光ディスクは、このデータフォーマットを使用してコンテンツデータを記録する。
【００５２】
図９は、上記第３実施形態例の光ディスクに記録されたデータを読みとる光ディスク装置の構成を示している。光ディスク装置１０は、図４に示す復号化手段１５が、ＩＤ確認手段１８に置き換わる点で、第１実施形態例の光ディスク装置１０と相違する。ＩＤ確認手段１８は、登録されたＩＤキー、及び、光ディスク２０から読み取ったコンテンツプロバイダＩＤ情報からＩＤキーを特定するためのルールを記憶している。ＩＤ確認手段１８は、コンテンツプロバイダＩＤ情報からＩＤキーを特定し、そのＩＤキーが登録されたＩＤキーであるか否かを調査する。調査の結果、特定されたＩＤキーが登録されていると確認されたときには、コンテンツデータの再生を行なう。また、特定されたＩＤキーが登録されたＩＤキーとは異なるとき、或いは、ＩＤキーが特定できないときには、コンテンツの再生を行なわない。
【００５３】
再生専用型光ディスク装置を光ディスク装置１０で再生すると、ＩＤ確認手段１８は、コンテンツプロバイダＩＤ情報からＩＤキーが正しく特定し、そのＩＤキーが登録されたものであることを確認し、コンテンツを正常に再生する。しかし、再生専用型光ディスク装置に記録されたコンテンツを、図５に示すエンボス２８が形成された記録型光ディスクにコピーすると、コンテンツプロバイダＩＤ情報は、エンボス２８が形成された領域に記録される。この記録型光ディスクを光ディスク装置１０で再生すると、ＩＤ確認手段１８は、コンテンツプロバイダＩＤ情報を正しく読み出すことができず、コンテンツの再生が行われない。記録型光ディスクに、図２に示す従来のデータフォーマットでコンテンツを記録した場合には、第１実施形態例と同様に、コンテンツの再生が正常に行なえる。
【００５４】
本実施形態例では、暗号キー情報に代えて、コンテンツプロバイダＩＤ情報を記録し、光ディスク装置１０は、コンテンツプロバイダＩＤ情報から特定されるＩＤキーが登録されているものであることを確認すると、コンテンツの再生を行なう。再生専用型光ディスクに記録したコンテンツを、所定の位置にエンボスが形成された記録型光ディスクにコピーした場合には、コンテンツプロバイダＩＤ情報の読み出しが不可能となって、ＩＤキーが特定できず、コンテンツの正常な再生が不可能になる。このため、第１実施形態例と同様に、確実かつ簡易に、コピープロテクションが実現する。
【００５５】
なお、図１では、シンクフレームの奇数番号が暗号キー情報を有する例を図示したが、これに限定されず、暗号キー情報が含まれるシンクフレームは、偶数番号であってもよい。また、暗号キー情報が含まれるシンクフレームは、シンクパターン情報を含むシンクフレームと同数である必要はなく、１物理セクタ中に１以上が含まれていればよい。例えば、暗号キー情報が含まれるシンクフレームは、１物理セクタに含まれるシンクフレームの１／４程度であってもよく、また、ある物理セクタについては、その全てが暗号キー情報を含むシンクフレームで構成されていてもよい。
【００５６】
第１実施形態例では、図５に示すエンボス自身がアドレス情報を有する例を説明したが、エンボスは、形成される領域がシンクパターン、暗号キー情報、又は、コンテンツプロバイダＩＤ情報が記録されるべき領域であればコピープロテクションとして機能するため、エンボス自身が有する情報はコピープロテクション機能とは無関係である。従って、エンボスは、その他の有用な情報を有していてもよく、或いは、何ら情報を有していなくてもよい。しかし、エンボスは、記録信号の再生を阻害する目的で形成されるため、エンボス上に形成された記録信号に影響を与えないぐらい小さなエンボスや、逆に大きすぎるエンボスは好ましくなく、例えば、適度の長さのエンボスが数種類ランダムに配置されていることが望ましい。
【００５７】
上記実施形態例では、図３に示す情報記録装置を用いてスタンパ原盤３６を作製する例について説明したが、図３に示す情報記録装置は、スタンパ原盤３６を作製する前のためし書きであるオーサリング工程においても使用することができる。暗号キー情報及び情報データの組み合わせについては、上記実施形態例で説明したものに限定されず、一対となるとコンテンツデータが再生できるように構成されていればよい。第３実施形態例では、コンテンツプロバイダＩＤ情報からＩＤキーが特定されるとコンテンツ再生される例を説明した、第１実施形態例において、このＩＤキーを、暗号キー情報として採用してもよい。また、図３に示すエンボスを形成する領域は、厳密にシンクパターン、暗号キー情報、又は、コンテンツプロバイダＩＤ情報が記録されるべき領域と一致する必要はなく、エンボスの一部が情報データを記録すべき領域にはみ出していてもよい。
【００５８】
第２実施形態例では、分割されたコンテンツデータを、ダミーのデータ列「００００」で置き換える例について説明したが、ダミーのデータ列や、データ列のデータ長、分割されたコンテンツデータ中の所定位置などの変換ルールは、適宜変更可能であり、例えばダミーのデータ列は「００００」でなくとも良い。また、変換ルールによって切り取られるデータは、必ずしもコンテンツデータ中の一部に集中している必要はなく、コンテンツデータ中に分散していても良い。適用される変換ルールは、シンクフレーム毎に異なるルールとしてもよい。
【００５９】
第３実施形態例では、コンテンツプロバイダＩＤ情報６３は、１つのシンクフレームに含まれるコンテンツプロバイダＩＤ情報からＩＤキーが特定できるように構成してもよく、或いは、所定数分のシンクフレームに含まれるコンテンツプロバイダＩＤ情報を結合すると、１つのＩＤキーが特定できるようにしてもよい。例えば、１つの物理セクタ内に存在するコンテンツプロバイダＩＤ情報を、所定の規則に従って結合し、１つのＩＤキーが特定されるようにしてもよい。コンテンツプロバイダ情報６３は、容易にＩＤキーが特定できないように、複雑に構成するとよい。
【００６０】
上記実施形態例では、情報記録再生媒体として、光ディスクを例に挙げて説明したが、これに限られず、相変化型記録膜、有機系記録膜、ＭＯ（光磁気記録膜）などの様々な記録型ディスクはもちろん、ＲＯＭやＲＡＭなどの半導体記憶装置を情報記録媒体として使用した場合についても、その情報記録媒体に、上記実施形態例で採用するデータフォーマットでコンテンツを記録することができる。また、光ディスク型の情報記録媒体を採用する場合には、その記録や再生を行なう光ヘッドのレーザ波長に依存しない。例えば、６６０ｎｍ程度の赤色レーザを使用することもでき、或いは、４００ｎｍ程度の青色レーザを使用することもできる。上記実施形態例で採用するデータフォーマットは、変調符号に依存しないため、ＥＦＭｐｌｕｓや、１−７変調等、さまざまな変調復号を採用することができる。
【００６１】
以上、本発明をその好適な実施形態例に基づいて説明したが、本発明の情報記録再生用媒体、情報記録再生装置、情報記録再生方法、及び、情報記録再生用媒体のデータ構造は、上記実施形態例にのみ限定されるものでなく、上記実施形態例の構成から種々の修正及び変更を施した情報記録再生用媒体、情報記録再生装置、情報記録再生方法、及び、情報記録再生用媒体のデータ構造も、本発明の範囲に含まれる。
【００６２】
【発明の効果】
以上説明したように、本発明の情報記録再生用媒体、情報記録再生装置、情報記録再生方法、及び、情報記録再生用媒体のデータ構造は、暗号キー情報が正常に読み出されないとコンテンツの再生が行なえないようにする構成を採用する。情報記録用媒体は、その作製に際して、暗号キー情報が書き込まれるべき部分に、その部分に記録される情報の読み出しが困難になるように構成されるため、この情報記録用媒体に、本発明のデータ構造でコンテンツを記録した情報再生用媒体からコンテンツをコピーしても、コンテンツの再生が不可能となり、コンテンツ製作者の著作権が保護される。
【図面の簡単な説明】
【図１】本発明の第１実施形態例の光ディスクから読み出される１物理セクタ分のデータ構造を示すブロック図。
【図２】従来の光ディスクから読み出されるコンテンツデータの１物理セクタのデータ構造を比較例として示すブロック図。
【図３】上記第１実施形態例のデータフォーマットでコンテンツデータを記録する際に使用されるスタンパ原盤を生成する情報記録装置の構成を示すブロック図。
【図４】上記第１実施形態例の光ディスク上に記憶されるデータを読み取る光ディスク装置の構成を示すブロック図。
【図５】光ディスク２０として使用される追記型光ディスク又は書き換え型光ディスクのトラックの一部を示す模式図。
【図６】本発明の第２実施形態例の光ディスクに記録されるデータ構造の暗号キー情報が含まれるシンクフレームの構成を示すブロック図。
【図７】上記第２実施形態例の光ディスクに記録されたデータを読みとる光ディスク装置の構成を示すブロック図。
【図８】本発明の第３実施形態例の光ディスクに記録されるデータ構造の、コンテンツプロバイダＩＤ情報が含まれるシンクフレームの構成を示すブロック図。
【図９】上記第３実施形態例の光ディスクに記録されたデータを読みとる光ディスク装置の構成を示すブロック図。
【符号の説明】
１０：光ディスク装置
１１：対物レンズ
１２：ＬＤ（レーザダイオード）
１３：ＬＤ駆動回路
１４：光検出器
１５：復号化手段
１６：スピンドル制御回路
１７：解読手段
１８：ＩＤ確認手段
２０：光ディスク
２１、４１：物理フレーム
２２、２５、４２：シンクフレーム
２３、４３：シンクパターン情報
２４、４４：情報データ
２６：暗号キー情報
２７：暗号化情報データ
２８：エンボス
２９：案内溝
３０：情報記録装置
【図１】
2004095114.tif 000003
【図２】
2004095114.tif 000004
【図３】
2004095114.tif 000005
【図４】
2004095114.tif 000006
【図５】
2004095114.tif 000007
【図６】
2004095114.tif 000008
【図７】
2004095114.tif 000009
【図８】
2004095114.tif 000010
【図９】
2004095114.tif 000011